(57)【要約】      （修正有）【課題】圧電素子が出力する電位レベルを大きくするとともに、通話ボタンの押下時の振動が不快音として相手に聞こえる現象の発生を抑制する。【解決手段】振動取得部３５を有する骨伝導マイク１１は、開口部６１を有する筐体３７と、有底筒状に形成され底部を外方に配置する筒部７５の外周が開口部の内周に固定されるマイクパッド５５と、筒部７５の内周に外周が固定され、底部７７に向かって突出する支持部を有する素子支持部材５７と、一方の面の周縁が支持部に固定され振動を拾う板状の圧電素子５３と、底部の内方の面に略同一面積を有して固定される振動板部９５を有し、この振動板中央部に圧電素子５３の他方の面の素子中央部が固定される突起部９７を有する駆動板５９と、を備える。【選択図】図３
2020036208.tif 000002
【特許請求の範囲】
【請求項１】
開口部を有する筐体と、
有底筒状に形成され、底部を外方に配置する筒部の外周が前記開口部の内周に固定されるマイクパッドと、
前記筒部の内周に外周が固定され、前記底部に向かって突出する支持部を有する素子支持部材と、
一方の面の周縁が前記支持部に固定され、振動を拾う板状の圧電素子と、
前記底部の内方の面に略同一面積を有して固定される振動板部を有し、この振動板部の中央に、前記圧電素子の他方の面の素子中央部が固定される突起部を有する駆動板と、を備える、
骨伝導マイク。
【請求項２】
前記素子支持部材は、外周を前記筒部の内周に固定する円形状もしくは楕円形状のベース板を有し、
前記支持部は、前記ベース板と同心円もしくは短軸と長軸が重なる相似の環状凸部で形成される、
請求項１に記載の骨伝導マイク。
【請求項３】
前記素子支持部材は、外周を前記筒部の内周に固定する円形状もしくは楕円形状のベース板を有し、
前記支持部は、前記ベース板の外周に沿って配置された３つ以上の支柱で形成される、
請求項１に記載の骨伝導マイク。
【請求項４】
前記振動は、前記骨伝導マイクの装着者の発声に基づく咽頭振動もしくは鼻骨振動である、
請求項１〜３のうちいずれか一項に記載の骨伝導マイク。
【請求項５】
前記底部は、前記開口部が形成される開口形成面よりも前記筐体の外方へ突出する、
請求項１〜４のうちいずれか一項に記載の骨伝導マイク。
【請求項６】
前記ベース板と前記圧電素子との間に、振動により変位する前記圧電素子が前記ベース板に接触しない距離の空間が設けられる、
請求項２または３に記載の骨伝導マイク。
【請求項７】
前記素子支持部材、前記圧電素子、前記突起部および前記駆動板は、同心円の円形状もしくは短軸と長軸が重なる相似の楕円形状に形成される、
請求項１〜６のうちいずれか一項に記載の骨伝導マイク。
【請求項８】
前記筐体には、通話ボタンが設けられる、
請求項１〜７のうちいずれか一項に記載の骨伝導マイク。
【発明の詳細な説明】
【技術分野】
【０００１】
本開示は、骨伝導マイクに関する。
【背景技術】
【０００２】
声帯振動を音声信号に変換する骨伝導マイクが知られている。特許文献１の骨伝導マイクは、人体に接触し、声帯振動に含まれる所定方向の振動を取得する振動取得部と、所定方向の振動の取得可否を切り替えるスイッチとを有する。スイッチは、取得可否を切り替える操作の方向が、所定方向と平行となるように、振動取得部の人体に接触する側とは反対側に配置されている。
【先行技術文献】
【特許文献】
【０００３】
【特許文献１】国際公開第２０１８／０７９５７５号
【発明の概要】
【発明が解決しようとする課題】
【０００４】
本開示は、圧電素子が出力する電位レベルを大きくするとともに、通話ボタンの押下時の振動が不快音として相手に聞こえる現象の発生を抑制する骨伝導マイクを提供することを目的とする。
【課題を解決するための手段】
【０００５】
本開示は、開口部が形成される筐体と、有底筒状に形成され底部を外方に配置する筒部の外周が前記開口部の内周に固定されるパッドと、前記筒部の内周に外周が固定され前記底部に向かって突出する支持部を有する素子支持部材と、一方の面の周縁が前記支持部に固定され振動を拾う板状の圧電素子と、前記底部の内方の面に略同一面積を有して固定される振動板部を有しこの振動板中央部に、前記圧電素子の他方の面の素子中央部が固定される突起部を有する駆動板と、を備える、骨伝導マイクを提供する。
【発明の効果】
【０００６】
本開示によれば、骨伝導ヘッドセットにおいて、圧電素子が出力する電位レベルを大きくできるとともに、通話ボタンの押下時の振動が不快音として相手に聞こえる現象の発生を抑制できる。
【図面の簡単な説明】
【０００７】
【図１】実施の形態１に係る骨伝導マイクが設けられた骨伝導ヘッドセットの斜視図
【図２】図１に示した骨伝導ヘッドセットの使用状況の一例を骨伝導マイクの拡大図とともに示す斜視図
【図３】図２に示した骨伝導マイクの圧電素子に垂直方向の断面図
【図４】図３のＡ−Ａ断面図
【図５】図４に示した素子支持部材を環状凸部側から見た平面図
【図６】支持部の変形例を表す断面図
【図７】図６に示した素子支持部材を支柱側から見た平面図
【図８】圧電素子がパッドの底部に貼着された比較例に係る全面貼着構造の断面図
【発明を実施するための形態】
【０００８】
（本開示の一実施の形態の内容に至る経緯）
従来の骨伝導マイクは、内蔵される圧電素子の表面全体をマイクパッドに貼り付けて固定された構造（いわゆる、全面貼着構造）となっている。このため、圧電素子の変形量（言い換えると、撓み量）が少なく、骨伝導マイクの装着者の発声に基づく咽頭振動により検知される電位レベルが小さく、装着者の声が相手に聞こえにくいという課題があった。また、通話の際に押下される通話ボタンを押下して相手と会話する時、骨伝導マイクの装着者がその通話ボタンを押した時の振動が不快音として相手に聞こえるという課題があった。
【０００９】
そこで、以下の実施の形態１では、上述した従来の骨伝導マイク（従来構造）に比べて、圧電素子が検知する電位レベルを大きくするとともに、通話ボタンの押下時の振動が不快音として相手に聞こえる現象の発生を抑制する骨伝導マイクの例を説明する。
【００１０】
以下、適宜図面を参照しながら、本開示に係る骨伝導マイクの構成および作用を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面および以下の説明は、当業者が本開示を十分に理解するために提供されるものであり、これらにより特許請求の範囲に記載の主題を限定することは意図されていない。
【００１１】
本開示の骨伝導マイクは、例えば、工事現場などの騒音環境下において、無線通信を使って遠隔地にいる相手と通話する場合に用いられる。骨伝導マイクは、骨伝導マイクの一部を顎または喉などに押し当て、人体から発せられる声帯振動を骨伝導により取得する。
【００１２】
図１は、実施の形態１に係る骨伝導マイク１１が設けられた骨伝導ヘッドセット１３の斜視図である。通話装置１５は、骨伝導マイク１１およびヘッドセット本体１７を有する骨伝導ヘッドセット１３と、トランシーバ１９とを備える。骨伝導マイク１１は、マイクケーブル２１を介してヘッドセット本体１７に接続される。ヘッドセット本体１７は、耳かけ２３を有し、耳かけ２３が人体（つまり、装着者）の耳に掛けられることで頭部に装着される。ヘッドセット本体１７は、ヘッドセットケーブル２５を介してトランシーバ１９に接続される。トランシーバ１９は、例えば装着者の服装の一部に取り付けられ、相手（つまり、通信相手）が所有する外部機器との間で通信を行う。なお、骨伝導マイク１１は、ヘッドセット本体１７の制御部２７に接続されてもよいし、制御部２７に接続されずにトランシーバ１９へ直接信号を入力するように、トランシーバ１９に接続されていてもよい。
【００１３】
図２は、図１に示した骨伝導ヘッドセット１３の使用状況の一例を骨伝導マイク１１の拡大図とともに示す斜視図である。骨伝導マイク１１は、留め金具２９を用いてヘルメット３１の顎紐３３に取り付けられる。骨伝導マイク１１は、人体（つまり、装着者）に接触して装着者の発声に基づく声帯振動を取得する振動取得部３５と、振動取得部３５を支持する筐体３７とを有している。骨伝導マイク１１で声を入力する場合は、装着者は骨伝導マイク１１を把持し、振動取得部３５を顎または喉に当接させる。これにより、骨伝導マイク１１は声帯振動を取得する。声を入力しない場合は、骨伝導マイク１１は、顎紐３３に吊り下げられた状態となる。
【００１４】
また、骨伝導ヘッドセット１３は、空気を介して音を取得する音声マイク３９と、音声マイク３９を支持するマイクホルダ４１とを有している。例えば、骨伝導マイク１１は騒音環境下で使用され、音声マイク３９は騒音環境下でない場合に使用される。骨伝導マイク１１および音声マイク３９は、択一的に切り替えて使用される。なお、図１では音声マイク３９の図示を省略し、図２ではマイクケーブル２１の図示を省略している。
【００１５】
ヘッドセット本体１７は、支持体４３と、一対のスピーカ４５とを備える。支持体４３は、Ｕ字状の形状をしており、互いに対向する両端部（端部４７、端部４９）と、両端部（端部４７、端部４９）の間に位置する中央部５１とを有している。なお、支持体４３の中央部５１とは、支持体４３をＵ字状の形状に沿ってみた場合の中央付近の部分をいう。一対のスピーカ４５は、互いに対向するように両端部（端部４７、端部４９）にそれぞれ支持されている。支持体４３の一方の端部４７には、マイクケーブル２１を介して骨伝導マイク１１が接続されている。また、図２に示すように、一方の端部４７には、マイクホルダ４１を介して音声マイク３９が接続されている。
【００１６】
支持体４３は、主に樹脂材料で形成され、内部には、弾性を有するワイヤ骨材が設けられる。また、支持体４３の内部には、骨伝導マイク１１、音声マイク３９、制御部２７およびスピーカ４５などを接続するための配線が設けられる。支持体４３の両端部（端部４７、端部４９）は、上下（Ｚ方向）に延びた柱状の形状をしており、一対のスピーカ４５は両端部（端部４７、端部４９）の上側（Ｚ方向プラス側）に設けられている。また、両端部（端部４７、端部４９）のそれぞれには、耳かけ２３が設けられている。支持体４３の中央部５１には、制御部２７が内蔵されている。
【００１７】
図３は、図２に示した骨伝導マイク１１の圧電素子５３に垂直方向の断面図である。実施の形態１に係る骨伝導マイク１１は、筐体３７と、マイクパッド５５と、素子支持部材５７と、圧電素子５３と、駆動板５９と、を主要な構成として有する。
【００１８】
筐体３７は、扁平な有底円筒状に形成される。筐体３７は、軸線に沿う方向の一端側の端面に開口部６１が形成される。筐体３７は、開口部６１と反対側の端面が、円形の閉塞板部６３により塞がれる。閉塞板部６３の中央には、通話ボタン６５が閉塞板部６３から外方に突出するように設けられる。
【００１９】
通話ボタン６５は、ボタン６７と、スイッチ６９と、を有する。ボタン６７およびスイッチ６９は、例えば円形あるいは矩形に形成され、筐体３７と同軸に配置される。ボタン６７は、閉塞板部６３から少なくとも操作ストロークＳ分の距離で外方へ突出する。ボタン６７は、スイッチ６９の固定部７１に対して操作ストロークＳの距離で接近離反する。通話ボタン６５は、スイッチ６９の固定部７１が、後述の基板７３に実装されて固定される。通話ボタン６５は、固定部側とボタン側との間に、固定部７１に対してボタン６７を離間する方向（Ｚ方向プラス側）に付勢するばねが内蔵されている。通話ボタン６５は、例えば、タクタイルスイッチであり、押されている状態でオンし続け、押されていない状態でオフする。オンオフを切り替えるボタン６７のＺ方向のストロークは、例えば０．２ｍｍ程度である。通話ボタン６５は、スイッチ６９の開閉回路が基板７３のスイッチ回路に導通接続される。通話ボタン６５は、スイッチ６９をオンとすることで、圧電素子５３が声帯振動を取得し得る状態とする。
【００２０】
筐体３７の開口部６１には、有底円筒状に形成されるマイクパッド５５が取り付けられる。マイクパッド５５は、筐体３７よりも柔らかい弾性体であり、例えばシリコンゴムなどの樹脂材料により形成される。マイクパッド５５は、筒部７５の軸線に沿う方向の一方が開放し、他方が底部７７となって閉塞する。底部７７は、筒部７５から徐々に縮径されるテーパ部７９を介して筒部７５の他端に接続する。マイクパッド５５は、筒部７５の外周が、筐体３７の開口部６１の近傍で内周に固定される。筒部７５は、他の部分よりも半径方向の厚みが大きい厚肉で形成される。筐体３７の開口部６１には、半径方向の内側へ張り出す鍔部８１が形成される。鍔部８１の内穴には、筒部７５からテーパ部７９を介して軸線方向（Ｚ方向マイナス側）に突出した底部７７が、筐体３７の外方へ若干突出して嵌合される。
【００２１】
従って、骨伝導マイク１１は、マイクパッド５５の底部７７が、筐体３７の開口部６１を有した開口形成面８３よりも筐体３７の外方へ突出量ｔだけ突出している。
【００２２】
マイクパッド５５は、底部７７の表面が皮膚表面に接触する。実施の形態１に係る骨伝導マイク１１は、マイクパッド５５を装着者の咽頭近傍の皮膚表面に接触させる例を説明するが、これに限定されない。骨伝導マイク１１は、マイクパッド５５を、装着者の鼻腔近傍の皮膚表面に接触させてもよい。すなわち、骨伝導マイク１１は、拾う振動を、装着者の発声に基づく咽頭振動もしくは鼻骨振動とすることができる。
【００２３】
筒部７５には、底部７７と反対側の端面に、円形の基板７３が固定される。基板７３には、回路パターンが印刷等により形成される。基板７３は、肉厚となった筒部７５の端面に固定されることで、通話ボタン６５の操作により生じた衝撃が、筒部７５の軸線に沿う方向の変形で吸収される。これにより、通話ボタン６５の操作により生じた振動は、減衰されて筐体３７に伝わるようになされている。
【００２４】
筒部７５の内周には、円形の素子支持部材５７が固定される。素子支持部材５７は、円盤状のベース板８５を有する。素子支持部材５７は、ベース板８５の外周が、筒部７５の内周に形成された凹状の内周溝８７に嵌合して固定される。
【００２５】
素子支持部材５７は、底部７７に向かって突出する支持部を、ベース板８５に有する。支持部は、ベース板８５と同心円の環状凸部８９で形成される。
【００２６】
図４は、図３のＡ−Ａ断面図である。環状凸部８９は、マイクパッド５５の底部７７に対向する側のベース板８５の面に、ベース板８５と同心円で形成される。なお、図４で環状凸部８９の外側に鎖線で描いた仮想円は、ベース板８５の外周円である。図３に示すように、素子支持部材５７は、柔らかい弾性体からなる肉厚の筒部７５に形成した内周溝８７に、ベース板８５の外周が嵌合して固定される。これにより、素子支持部材５７は、通話ボタン６５の操作により生じた基板７３からの振動が、弾性体の緩衝（ダンパー）作用により伝わりにくくなっている。
【００２７】
図５は、図４に示した素子支持部材５７を環状凸部側から見た平面図である。環状凸部８９は、ベース板８５から、周壁状となって形成される。環状凸部８９は、半径方向の厚みが全周で等しく形成される。環状凸部８９の内方は、周囲が閉じた空間９１となる。
【００２８】
環状凸部８９の起立先端面には、環状凸部８９の外径と略同一外径の円盤状の圧電素子５３が固定される。圧電素子５３は、一方の面の周縁が環状凸部８９の突出先端面に固定されて振動を拾う。圧電素子５３は、拾った咽頭振動もしくは鼻骨振動により受けた機械的応力に応じて電位を発生させる。圧電素子５３には、リード線９３が接続される。リード線９３は、ベース板８５を貫通して基板７３の振動検出回路に接続される。圧電素子５３で生じた電位は、基板７３の振動検出回路等に入力される。
【００２９】
素子支持部材５７は、環状凸部８９を有することで、ベース板８５と圧電素子５３との間に空間９１を形成する。空間９１は、振動により変位する圧電素子５３がベース板８５に接触しない距離で設定される。
【００３０】
マイクパッド５５は、底部７７の内方の面に、駆動板５９が固定される。駆動板５９は、振動板部９５と、突起部９７と、を有する。振動板部９５は、底部７７と略同一面積を有して、底部７７に固定される。振動板部９５は、振動板中央部に、圧電素子５３の他方の面の素子中央部に固定される突起部９７を有する。振動板部９５と突起部９７とは、マイクパッド５５よりも硬い素材により一体で形成される。
【００３１】
マイクパッド５５の底部７７と、駆動板５９の振動板部９５とは、振動取得部３５を構成する。
【００３２】
以上のように、骨伝導マイク１１は、人体（装着者）に接触して、声帯振動の所定方向の振動を取得する振動取得部３５と、振動取得部３５にて取得する振動を電気信号に変換する圧電素子５３と、を備え、振動板部９５は面積を広くし、圧電素子５３との接触部は面積を狭くした突起部９７を有して構成される。
【００３３】
図６は、支持部の変形例を表す断面図である。なお、素子支持部材９９は、支持部が、ベース板８５の外周に沿って配置された３つ以上の支柱１０１で形成されてもよい。
【００３４】
図６は、図７に示した素子支持部材９９を支柱側から見た平面図である。この変形例に係る素子支持部材９９は、支柱１０１を４つとしたが、支柱１０１の数は３つ以上であればこれに限定されない。支柱１０１は、円周方向に等間隔で配置されることが好ましい。
【００３５】
実施の形態１において、骨伝導マイク１１は、素子支持部材５７、圧電素子５３、突起部９７および駆動板５９が、同心円で配置されて形成される。
【００３６】
なお、上記の構成では、素子支持部材５７、圧電素子５３、突起部９７および駆動板５９が円形状である例を説明したが、これら素子支持部材５７、圧電素子５３、突起部９７および駆動板５９は、楕円であってもよい。この場合、素子支持部材５７、圧電素子５３、突起部９７および駆動板５９は、複数の楕円の短軸と長軸が重なる相似形状で形成される。
【００３７】
次に、上記した実施の形態１に係る骨伝導マイク１１の作用を説明する。
【００３８】
実施の形態１に係る骨伝導マイク１１は、開口部６１を有する筐体３７を有する。骨伝導マイク１１は、有底筒状に形成され、底部７７を外方に配置する筒部７５の外周が開口部６１の内周に固定されるマイクパッド５５を有する。骨伝導マイク１１は、筒部７５の内周に外周が固定され、底部７７に向かって突出する支持部を有する素子支持部材５７を有する。骨伝導マイク１１は、一方の面の周縁が支持部に固定され、振動を拾う板状の圧電素子５３を有する。骨伝導マイク１１は、底部７７の内方の面に略同一面積を有して固定される振動板部９５を有し、この振動板部の中央に、圧電素子５３の他方の面の素子中央部が固定される突起部９７を有する駆動板５９と、を有する。
【００３９】
実施の形態１に係る骨伝導マイク１１では、圧電素子５３が素子支持部材５７に固定される。素子支持部材５７は、マイクパッド５５の底部７７に向かって突出する支持部（環状凸部８９または支柱１０１）を有し、この支持部の突出先端で、圧電素子５３の一方の面の周縁を固定する。圧電素子５３は、周縁が支持部により固定されることで、圧電素子５３の表面全体がマイクパッド５５に貼着された従来構造に比べ、素子中央部が自由に（大きく）変位可能となる。
【００４０】
一方、皮膚表面に底部７７の外方が接するマイクパッド５５は、底部７７の内方の面に、略同一面積を有する駆動板５９の振動板部９５が貼着される。振動板部９５は、マイクパッド５５の底部７７と略同一の大きな面積を有するので、振動を拾う皮膚表面に広く接触する。広い面積で皮膚表面に接触した振動板部９５は、広範囲から振動が伝播する。
【００４１】
図８は、圧電素子５３がマイクパッド５５の底部７７に貼着された比較例に係る全面貼着構造の断面図である。図８に示すように、圧電素子５３の全面がマイクパッド５５の底部７７に固定される比較例に係る全面貼着構造では、圧電素子５３の自由な振動が、密着する底部７７により拘束される。これに対し、骨伝導マイク１１では、圧電素子５３の周縁のみが固定されることで、素子中央部が最も容易に変位可能となる。
【００４２】
そして、骨伝導マイク１１は、駆動板５９の振動板部９５に伝播した振動を、突起部９７を介して圧電素子５３の素子中央部に集中的に（他部材へ漏洩させずに）伝える。つまり、骨伝導マイク１１は、素子中央部を筐体３７に接触させない構造とし、皮膚表面が広く当たるように接触面を広くした振動板部９５の振動板中央部を素子中央部に集中的に接触させる構造としている。
【００４３】
これにより、圧電素子５３は、僅かな振動も効率よく拾えるようになる。即ち、圧電素子５３は、小さな振動に対しても電位を出力できるようになる。そして、圧電素子５３は、同一の振動に対し、従来構造に比べ大きな変形が得られることから、大きなレベルの電位の出力が可能となる。
【００４４】
また、骨伝導マイク１１では、骨伝導マイク１１の装着者が会話する際に押下される通話ボタン６５が筐体３７に設けられる。
【００４５】
また、圧電素子５３を支持する素子支持部材５７は、外周のみがマイクパッド５５を介して筐体３７に固定される。外周の固定された素子支持部材５７は、支持部を介して圧電素子５３の周縁のみを固定する。従って、通話ボタン６５が操作された際の筐体３７からの振動は、筒部７５、素子支持部材５７、支持部を介して圧電素子５３の周縁に伝わる。このように、骨伝導マイク１１では、筐体３７から圧電素子５３に伝わる振動の経路（構造）が、従来の全面貼着構造に比べ長くなり（振動伝達媒体の質量が大きくなり）、これらの構造が、振動の伝播を抑制する（減衰させる）よう作用する。その結果、骨伝導マイク１１は、ボタン６７を押した時の筐体３７の振動が圧電素子５３に拾われる現象を抑制することができる。なお、通話ボタン６５は筐体３７に設けられてもよいし、設けられなくてもよい。
【００４６】
従って、実施の形態１に係る骨伝導マイク１１によれば、従来構造に比べ圧電素子５３の電位レベルを大きくできるとともに、通話ボタン６５を押した時の振動が相手に聞こえる現象を軽減できる。
【００４７】
また、骨伝導マイク１１では、素子支持部材９９は、外周を筒部７５の内周に固定する円形状もしくは楕円形状のベース板８５を有し、支持部は、ベース板８５と同心円もしくは短軸と長軸が重なる相似の環状凸部８９で形成される。
【００４８】
この骨伝導マイク１１では、支持部は、環状凸部８９となる。環状凸部８９は、圧電素子５３と平行に配置されるベース板８５の圧電素子対向面に突設される。環状凸部８９は、突出先端面で、圧電素子５３の周縁を固定する。環状凸部８９に固定された圧電素子５３は、外形（輪郭）に沿う周縁の全周が均等に環状凸部８９の突出先端面に固定される。周縁の全周が均等に固定された圧電素子５３は、張力にばらつきが生じにくくなる。これにより、圧電素子５３は、振動を減衰させる弛み等（張力の差異）が生じにくくなり、駆動板５９から効率よく振動が伝播するようになる。
【００４９】
また、骨伝導マイク１１では、素子支持部材９９は、外周を筒部７５の内周に固定する円形状もしくは楕円形状のベース板８５を有し、支持部が、ベース板８５の外周に沿って配置された３つ以上の支柱１０１で形成されてもよい。
【００５０】
この骨伝導マイク１１では、圧電素子５３の周縁が、素子支持部材９９に設けられた接触面積の小さい複数の支柱１０１の先端面に固定されてもよい。素子支持部材９９は、環状の支持部に比べ、より少ない固定面積で圧電素子５３を支持できる。これにより、圧電素子５３は、従来の全面貼着構造に比べ、駆動板５９から授受した振動エネルギーを他部材へ拡散せずにすむ。その結果、圧電素子５３は、伝播した振動の減衰を抑制できるとともに、より小さい振動も変形（即ち、電位の発生）に寄与させることができるようになる。
【００５１】
また、骨伝導マイク１１では、振動は、骨伝導マイク１１の装着者の発声に基づく咽頭振動もしくは鼻骨振動である。
【００５２】
この骨伝導マイク１１では、声帯の振動が伝播した咽頭振動もしくは鼻骨振動を、駆動板５９の振動板部９５により拾うことができる。振動板部９５は、マイクパッド５５の内方の面に貼着される。マイクパッド５５は、振動板部９５の固定された内方の面とは反対側の外方の面が、咽頭や鼻腔の皮膚表面に接触して配置される。骨伝導マイク１１は、これら咽頭や鼻腔における骨の振動を、駆動板５９の振動板部９５に伝播させ、この振動板部９５の振動により突起部９７を介して圧電素子５３を駆動する。骨伝導マイク１１は、この機械的振動による変形で生じた電位を音声信号に変換して出力する。
【００５３】
また、骨伝導マイク１１では、マイクパッド５５の底部７７は、筐体３７の開口部６１を有した開口形成面８３よりも筐体３７の外方へ突出する。
【００５４】
この骨伝導マイク１１では、マイクパッド５５の底部７７が筐体３７より突出するので、装着時に、マイクパッド５５の底部７７のみを確実に皮膚表面に密着させることができる。これにより、底部７７が皮膚表面から浮上することによる振動の拾い洩れを低減できる。また、マイクパッド５５の底部７７が突出することにより、筐体３７と振動板部９５との距離がテーパ部７９により離間する。これにより、底部７７が開口部６１と同一面である場合に比べ、ボタン６７を押した時の筐体３７からの振動を、振動板部９５へより一層伝わりにくくできる。
【００５５】
また、骨伝導マイク１１は、ベース板８５と圧電素子５３との間に、振動により変位する圧電素子５３がベース板８５に接触しない距離の空間９１を有する。
【００５６】
また、この骨伝導マイク１１では、圧電素子５３とベース板８５との間に、空間９１が設けられる。圧電素子５３は、振動により変位した場合であって、ベース板８５との接触がこの空間９１により回避される。これにより、圧電素子５３は、伝播した振動を無駄に減衰させずに、効率よく電位へ変換することができる。
【００５７】
なお、マイクパッド５５は、筐体３７から突出する底部７７が、密着性を確保するために皮膚表面に押圧された場合、底部７７に固定された振動板部９５が圧電素子５３に接近する方向に変位する。圧電素子５３は、接近する振動板部９５の突起部９７により、ベース板８５へ向かって変形する。この場合においても、マイクパッド５５の良好な密着状態を確保しながら、空間９１により圧電素子５３とベース板８５との干渉を回避することができる。つまり、空間９１は、マイクパッド５５の押圧に伴って変位する圧電素子５３の退避空間ともなる。
【００５８】
また、骨伝導マイク１１では、素子支持部材５７、圧電素子５３、突起部９７および駆動板５９が、同心円の円形状もしくは短軸と長軸が重なる相似の楕円形状に形成される。
【００５９】
この骨伝導マイク１１では、振動を伝える複数の振動伝達部材が、突起部９７を中心に、点対称で配置される。それぞれの振動伝達部材は、最も変位が大きくなる部分同士で連結される。これにより、骨伝導マイク１１は、例えば突起部９７が、圧電素子５３の周縁の近傍に固定される場合に比べ、振動を効率よく圧電素子５３まで伝播させることが可能となる。
【００６０】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【産業上の利用可能性】
【００６１】
本開示は、圧電素子が出力する電位レベルを大きくするとともに、通話ボタンの押下時の振動が不快音として相手に聞こえる現象の発生を抑制する骨伝導マイクとして有用である。
【符号の説明】
【００６２】
１１  骨伝導マイク
３７  筐体
５３  圧電素子
５５  マイクパッド
５７  素子支持部材
５９  駆動板
６１  開口部
６５  通話ボタン
７５  筒部
７７  底部
８３  開口形成面
８５  ベース板
８９  環状凸部
９１  空間
９５  振動板部
９７  突起部
９９  素子支持部材
１０１  支柱
【図１】
2020036208.tif 000003
【図２】
2020036208.tif 000004
【図３】
2020036208.tif 000005
【図４】
2020036208.tif 000006
【図５】
2020036208.tif 000007
【図６】
2020036208.tif 000008
【図７】
2020036208.tif 000009
【図８】
2020036208.tif 000010
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
開口部を有する筐体と、
有底筒状に形成され、底部を外方に配置する筒部の外周が前記開口部の内周に固定されるマイクパッドと、
前記筒部の内周に外周が固定され、前記底部に向かって突出する支持部を有する素子支持部材と、
一方の面の周縁が前記支持部に固定され、振動を拾う板状の圧電素子と、
前記底部の内方の面に固定される振動板部を有し、この振動板部の中央に、前記圧電素子の他方の面の素子中央部が固定される突起部を有する駆動板と、を備える、
骨伝導マイク。
【請求項２】
前記素子支持部材は、外周を前記筒部の内周に固定する円形状もしくは楕円形状のベース板を有し、
前記支持部は、前記ベース板と同心円もしくは短軸と長軸が重なる相似の環状凸部で形成される、
請求項１に記載の骨伝導マイク。
【請求項３】
前記素子支持部材は、外周を前記筒部の内周に固定する円形状もしくは楕円形状のベース板を有し、
前記支持部は、前記ベース板の外周に沿って配置された３つ以上の支柱で形成される、
請求項１に記載の骨伝導マイク。
【請求項４】
前記振動は、前記骨伝導マイクの装着者の発声に基づく咽頭振動もしくは鼻骨振動である、
請求項１〜３のうちいずれか一項に記載の骨伝導マイク。
【請求項５】
前記底部は、前記開口部が形成される開口形成面よりも前記筐体の外方へ突出する、
請求項１〜４のうちいずれか一項に記載の骨伝導マイク。
【請求項６】
前記ベース板と前記圧電素子との間に、振動により変位する前記圧電素子が前記ベース板に接触しない距離の空間が設けられる、
請求項２または３に記載の骨伝導マイク。
【請求項７】
前記素子支持部材、前記圧電素子、前記突起部および前記駆動板は、同心円の円形状もしくは短軸と長軸が重なる相似の楕円形状に形成される、
請求項１〜６のうちいずれか一項に記載の骨伝導マイク。
【請求項８】
前記筐体には、通話ボタンが設けられる、
請求項１〜７のうちいずれか一項に記載の骨伝導マイク。
【手続補正２】
【補正対象書類名】明細書
【補正対象項目名】０００５
【補正方法】変更
【補正の内容】
【０００５】
本開示は、開口部が形成される筐体と、有底筒状に形成され底部を外方に配置する筒部の外周が前記開口部の内周に固定されるパッドと、前記筒部の内周に外周が固定され前記底部に向かって突出する支持部を有する素子支持部材と、一方の面の周縁が前記支持部に固定され振動を拾う板状の圧電素子と、前記底部の内方の面に固定される振動板部を有しこの振動板中央部に、前記圧電素子の他方の面の素子中央部が固定される突起部を有する駆動板と、を備える、骨伝導マイクを提供する。